(57)【特許請求の範囲】
【請求項１】
本体ケースと、
前記本体ケースに設けられ、回転軸を有するモータと、
前記回転軸に設けられ、内刃および吸い込みファンを有する内刃体と、
前記内刃を覆って前記本体ケースに設けられ、複数の刃孔を有する面状の外刃と、
前記本体ケースの内部において、前記内刃体が回転する領域を確保し、前記複数の刃孔からのエアを吸い込む側に設けられる第１空間、および該第１空間と仕切られ、前記エアを排出する側に設けられる第２空間と、
前記第１空間と前記第２空間との間を連通するように前記本体ケースに設けられるダストボックスと、
前記面状の外刃の周りの前記本体ケースに設けられ、前記第２空間を開口して前記エアを排出する排出口と
を備えることを特徴とする毛玉取り器。
【請求項２】
請求項１記載の毛玉取り器において、
前記ダストボックスの内部を、前記第１空間側と前記第２空間側とに仕切るように設けられるエアフィルタを更に備えることを特徴とする毛玉取り器。
【請求項３】
請求項２記載の毛玉取り器において、
前記エアフィルタが、前記ダストボックスに対して着脱可能に設けられることを特徴とする毛玉取り器。
【請求項４】
請求項１〜３のいずれか一項に記載の毛玉取り器において、
前記排出口から排出された前記エアを再度前記複数の刃孔から吸い込んで循環させる排気循環構造が構成されることを特徴とする毛玉取り器。
【発明の詳細な説明】
【技術分野】
【０００１】
本発明は、毛玉取り器に適用して有効な技術に関する。
【背景技術】
【０００２】
特開２００３−２９９５９８号公報（以下、「特許文献１」という。）には、毛玉取り用の外刃と内刃とが装着可能なほこり取り器に関する技術が記載されている（特許文献１の請求項８参照）。このほこり取り器では、ファン片が回転することによって生じたエア流と共にほこり（毛玉）が取り込まれてダストボックスに送入される。このとき、ダストボックスの側面に開口して設けられたエア穴（排出口）からエアが排出される（同段落［００２９］参照）。
【先行技術文献】
【特許文献】
【０００３】
【特許文献１】特開２００３−２９９５９８号公報
【発明の概要】
【発明が解決しようとする課題】
【０００４】
従来の毛玉取り器（例えば、特許文献１参照）は、面状の外刃の外面（内刃と対向する内面と反対側の面）からエア（外気）を吸い込むよう回転する内刃体がファンとして機能し、内刃体で発生したエア流によってカットした毛玉をダストボックス内部に送り込む構造である。ダストボックスに到達したエアはダストボックスに設けられている複数の排出口から外部に排出（放出）される。このため、ダストボックスには排出口よりも大きい毛玉が溜まるものの、排出口よりも細かい塵がエア（排気風）と共に排出されるおそれがある。
【０００５】
本発明の目的は、ダストボックス内の塵を外部に飛散させるのを防止することのできる技術を提供することにある。本発明の前記ならびにその他の目的と新規な特徴は、本明細書の記述および添付図面から明らかになるであろう。
【課題を解決するための手段】
【０００６】
本願において開示される発明のうち、代表的なものの概要を簡単に説明すれば、次のとおりである。
【０００７】
本発明の一解決手段に係る毛玉取り器は、本体ケースと、前記本体ケースに設けられ、回転軸を有するモータと、前記回転軸に設けられ、内刃および吸い込みファンを有する内刃体と、前記内刃を覆って前記本体ケースに設けられ、複数の刃孔を有する面状の外刃と、前記本体ケースの内部において、前記内刃体が回転する領域を確保し、前記複数の刃孔からのエアを吸い込む側に設けられる第１空間（吸い込み空間）と、該第１空間と仕切られ、前記エアを排出する側に設けられる第２空間（排出空間）と、前記第１空間と前記第２空間との間を連通するように前記本体ケースに設けられるダストボックスと、前記面状の外刃の周りの前記本体ケースに設けられ、前記第２空間を開口して前記エアを排出する排出口とを備えることを特徴とする。このように、前記一解決手段に係る毛玉取り器は、前記排出口から排出された前記エアを再度前記複数の刃孔から吸い込んで循環させる排気循環構造が構成されることがより好ましい。
【０００８】
これによれば、ダストボックスに排出口を設けない新規な構造の毛玉取り器を提供することができる。具体的には、毛玉取り器の動作（モータの駆動）により内刃体を回転させることで外刃外面近傍のエアが吸い込まれて発生するエア流によって、外刃と内刃でカットされた毛玉がダストボックス内部に搬送され、搬送に用いられたエアが排出口から排出される。そして、この毛玉取り器では、排出口を外刃の周りに設けているため、排出されたエアを外刃外面から再度吸い込んでエアを循環させることができる。このように排出されたエアを再度外刃外面から吸い込んで戻せることから、仮に排出されたエアに塵が含まれていたとしても、その塵を外部に飛散させることを防止することができる。
【０００９】
また、前記一解決手段に係る毛玉取り器は、前記ダストボックスの内部を、前記第１空間（吸い込み空間）側と前記第２空間（排出空間）側とに仕切るように設けられるエアフィルタを更に備えることがより好ましい。また、前記エアフィルタが、前記ダストボックスに対して着脱可能に設けられることがより好ましい。このようにエアフィルタを仕切りとして用い、ダストボックスの内部を、毛玉を溜める空間（吸い込み空間側と連通する内部空間）と、毛玉などと分離したエアを流動させる空間（排出空間側と連通する内部空間）とに分けることができる。エアフィルタを通過したエアは、本体ケース内部の第２空間（排出空間）を通って排出口から排出される。エアフィルタを用いることで、排出されるエアに塵が含まれるのを防止することができる。また、ダストボックスの内部に着脱可能にエアフィルタを設けることで、ダストボックスに溜まった毛玉などの屑を捨てる際に、取り外してエアフィルタをクリーニングしたり、場合によっては交換したりすることができる。
【００１０】
また、前記一解決手段に係る毛玉取り器は、前記面状の外刃の周りの前記本体ケースに設けられ、前記排出口から排出された前記エアを前記面状の外刃の方向へ案内するガイド部を更に備えることがより好ましい。これによれば、排出口から排出されたエアを再度吸い込み易くなり、循環効率を向上させることができる。
【発明の効果】
【００１１】
本願において開示される発明のうち、代表的なものによって得られる効果を簡単に説明すれば、次のとおりである。本発明の一解決手段によれば、ダストボックス内の塵を外部に飛散させるのを防止することができる。
【図面の簡単な説明】
【００１２】
【図１】本発明の一実施形態に係る毛玉取り器の一方向から視た説明図である。
【図２】図１に示す毛玉取り器の他の方向から視た説明図である。
【図３】図１に示す毛玉取り器の内部の一方向から視た説明図である。
【図４】図１に示す毛玉取り器の内部の他の方向から視た説明図である。
【図５】図１に示す毛玉取り器の要部の説明図である。
【発明を実施するための形態】
【００１３】
以下の本発明における実施形態では、全図において、同一の機能を有する部材には同一の符号を付し、その繰り返しの説明は省略する。また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００１４】
本発明の一実施形態に係る毛玉取り器１０について図面を参照して説明する。図１および図２は、それぞれ別の方向から視た毛玉取り器１０の説明図である。図２では、一部（排出口４６）を透視して示している。図３および図４は、それぞれ別の方向から視た毛玉取り器１０の内部の説明図である。図５は、毛玉取り器１０の要部（ダストボックス２０）の説明図である。図５では、一部（エアフィルタ４８）を透視した状態で示している。
【００１５】
毛玉取り器１０は、概略すると、持ち手部１２を構成する本体ケース１４と、スイッチ部１６と、刃部１８と、ダストボックス（ダスト収容部）２０とを備えて構成される（図３参照）。毛玉取り器１０を使用するには、例えば、持ち手部１２を掴んでスイッチ部１６をオン状態にし、毛玉のある生地に対して刃部１８を強く押し付けずに浮かせ気味にして毛玉を取る（刈り取る）。毛玉取り器１０の使用後には、スイッチ部１６をオフ状態にする。また、刈り取った毛玉（ダスト）がダストボックス２０にある程度溜まった場合には、着脱可能なダストボックス２０を本体ケース１４から外して毛玉を捨てたり、ダストボックス２０の内部を清掃したりすることができる。そして、再度使用するために、本体ケース１４にダストボックス２０を取り付ける。
【００１６】
より具体的に、毛玉取り器１０について説明していく。毛玉取り器１０は、分割して内部を開口可能な本体ケース１４に設けられ、回転軸２２を有するモータ２４と、モータ２４を駆動する電源となる電池２６（例えば、乾電池）とを備える。電池２０は、本体ケース１４の着脱可能な蓋部２８によって交換可能に本体ケース１４に設けられる。
【００１７】
また、毛玉取り器１０は、回転軸２２に設けられ、内刃３０および吸い込みファン３２を有する内刃体３４と、内刃３０を覆って本体ケース１４に設けられ、複数の刃孔３６を有する面状の外刃３８とを備える。内刃３０は、吸い込みファン３２に取り付けられる。吸い込みファン３２は、回転することによって外刃３８の外面のエアを本体ケース１４の内部に吸い込むように、回転軸２２周りに等間隔で、所定角度などで構成された複数のファン片を有する。
【００１８】
内刃３０および吸い込みファン３２を有して構成される内刃体３４は、モータ２４の回転軸２２に対して軸方向（軸が延在する方向）に着脱可能である。また、外刃３８は、外面側が膨らむように面状（ドーム状）にリング状の支持部４０に取り付けられる。このリング状の支持部４０は、本体ケース１４に螺着可能に設けられる。内刃３０が回転した状態では内刃３０が外刃３１の内面に接しており、外刃３１の刃孔に入り込まれた毛玉が、内刃３０によって刈り取られ、そのまま本体ケース１４の内部に取り込まれることとなる。このように、内刃体３４と外刃３８とによって、刃部１８が構成される。
【００１９】
また、毛玉取り器１０は、本体ケース１４の内部において、内刃体３４が回転する領域を確保し、複数の刃孔３６からのエアを吸い込む側に設けられる吸い込み空間４２、および吸い込み空間４２と仕切られ、エアを排出する側に設けられる排出空間４４（エアの流動空間）とを備える。吸い込み空間４２と排出空間４４とは、本体ケース１４の仕切り部１４ａによって仕切られ、排出空間４４と本体ケース１４のスイッチ部１６側の他の内部空間とは本体ケースの仕切り部１４ｂによって仕切られる。この仕切り部１４ａ、１４ｂは、モータ２４を収容するように組み付けられる。
【００２０】
そして、毛玉取り器１０は、吸い込み空間４２と排出空間４４との間を密閉して（すなわち、ダストボックス２０に排出口４６を設けず）連通するように本体ケース１４に設けられるダストボックス２０と、面状の外刃３８の周りの本体ケース１４に設けられ、排出空間４４を開口してエアを排出する排出口４６とを備える。したがって、毛玉取り器１０には、排出口４６から排出されたエアを再度複数の刃孔３６から吸い込んで循環させる排気循環構造が構成される。なお、図３において、エアの流れを矢印Ａで示している。
【００２１】
具体的には、まず、毛玉取り器１０の動作（モータ２４の駆動）により内刃体３４を回転させることで外刃３８の外面近傍のエアが吸い込まれて発生するエア流によって、外刃３８と内刃３０でカットされた毛玉がダストボックス２０内部に搬送され、搬送に用いられたエアが排出口４６から排出される。そして、この毛玉取り器１０では、排出口４６をダストボックス２０ではなく外刃３８の周りに設けているため、排出されたエアを外刃３８の外面から再度吸い込んでエアを循環させることができる。このように排出されたエアを再度外刃３８の外面から吸い込んで戻せることから、仮に排出されたエアに塵が含まれていたとしても、その塵を毛玉取り器１０の外部に飛散させることを防止することができる。また、排気を循環させることで、仮に排出されたエアに塵が含まれていたとしても、外部に飛散させずに、いずれはダストボックス２０に溜まるようにすることができる。このダストボックス２０は、毛玉などを含むエアの入口（吸い込み空間４２側の開口）に対して奥側に窄まったダスト溜まり２０ａ（エア流の抵抗空間）を有しており、毛玉などのダストを容易に捕獲することができる。
【００２２】
また、毛玉取り器１０は、図３に示すように、ダストボックス２０の内部を、吸い込み空間４２側と排出空間４４側とに仕切るように設けられるエアフィルタ４８（フィルタＡＳＳＹ）を備える。このエアフィルタ４８は、一体成形型であり、ダストボックス２０に対して着脱可能に設けられる。このようにエアフィルタ４８を仕切りとして用い、ダストボックス２０の内部を、毛玉を溜める空間２１ａ（吸い込み空間４２側と連通する内部空間）と、毛玉などと分離したエアを流動させる空間２１ｂ（排出空間４４側と連通する内部空間）とに分けることができる。エアフィルタを通過したエアは、本体ケース１４内部の排出空間４４を通って排出口４６から排出される。エアフィルタ４８を用いることで、排出されるエアに塵が含まれるのを防止することができる。また、ダストボックス２０の内部に着脱可能にエアフィルタ４８を設けることで、ダストボックス２０に溜まった毛玉などの屑を捨てる際に、取り外してエアフィルタ４８をクリーニングしたり、場合によっては交換したりすることができる。
【００２３】
以上、本発明を実施形態に基づき具体的に説明したが、本発明は前記実施形態に限定されるものではなく、次のとおり、その要旨を逸脱しない範囲で種々変更可能であることはいうまでもない。
【００２４】
例えば、前記実施形態では、ダストボックスの内部にフィルタを設けているが、エアを排出する排出口の手前にフィルタを設けてもよい。但し、本体ケースに着脱可能なダストボックスの内部に対して着脱可能なフィルタを設ける方が、部品構成の点で簡略化することができる。
【００２５】
また、例えば、前記実施形態では、本体ケースの内部に吸い込み空間（第１空間）および排出空間（第２空間）を設け、排出口から排出されたエアを複数の刃孔から取り込んで循環させる循環構造としているが、この循環構造は特に限定されるものではない。例えば、排出口をダストボックス側の外刃の周りに設けるように吸い込み空間、ダストボックス、排出空間を連通する連通路を構成してもよい。また、例えば、本体ケースの持ち手部に排出空間を設けて連通するようにしてもよい。
【符号の説明】
【００２６】
１０  毛玉取り器；          １２  持ち手部；          １４  本体ケース；
１４ａ、１４ｂ  仕切り部；  １６  スイッチ部；        １８  刃部；
２０  ダストボックス；      ２０ａ  ダスト溜まり；    ２１ａ、２１ｂ  空間；
２２  回転軸；              ２４  モータ；            ２６  電池；
２８  蓋部；                ３０  内刃；              ３２  吸い込みファン；    ３４  内刃体；              ３６  刃孔；              ３８  外刃；
４０  支持部；              ４２  吸い込み空間；      ４４  排出空間；
４６  排出口；              ４８  エアフィルタ
【図１】
0006496157.tif 000002
【図２】
0006496157.tif 000003
【図３】
0006496157.tif 000004
【図４】
0006496157.tif 000005
【図５】
0006496157.tif 000006